(57)【要約】【課題】木製の質感を生かしながら安価に固定のプライスレールに取付けることが可能なプライスカードレール装置を提供すること。【解決手段】固定プライスカードレール２に装着可能なプライスカードレール装置１であって、木製の支持板６と、この支持板６の前後面６ａ，６ｂ及び下面６ｃに内側面が沿う断面上向きコ字形の透明合成樹脂製の覆板８と、支持板６の後面側に覆板８の後面６ｂを挟んで止着され、かつ固定プライスカードレール２に着脱自在の取付部材１０とで構成することで、透明合成樹脂製の覆板８を通して支持板６の木質感をだすことができる。【選択図】  図１
2005034331.tif 000002
【特許請求の範囲】
【請求項１】
棚板の前面に設けた固定プライスカードレールの前方に取付けられ、前記固定プライスカードレールに装着可能なプライスカードレール装置であって、木製の支持板と、該支持板の前後面及び下面に内側面が沿う断面上向きコ字形の透明合成樹脂製の覆板と、前記支持板の後面側に前記覆板の後面部を挟んで止着され、かつ前記固定プライスカードレールに着脱自在の取付部材とで構成したことを特徴とするプライスカードレール装置。
【請求項２】
前記覆板と取付部材は樹脂で一体成形されている請求項１に記載のプライスカードレール装置。
【請求項３】
前記取付部材は前記固定プライスカードレールの上下を挟持する挟持片を有する請求項１または２に記載のプライスカードレール装置。
【発明の詳細な説明】
【０００１】
【発明の属する技術分野】
本発明は、棚板の前面に設けた固定プライスカードレールの前方に取付けられ、前記固定プライスカードレールにより装着されるプライスカードよりも上下幅の大きいプライスカードも装着可能なプライスカードレール装置に関する。
【０００２】
【従来の技術】
従来、棚板の前面に設けた固定プライスカードレールの前方に取付けられるプライスカードレール装置として、例えば特許文献１に記載の「棚板における名札差し」や、特許文献２に記載の「商品陳列棚における棚板の前面ストッパー装置」が知られている。
【０００３】
特許文献１に記載のものは、棚装置に架設された棚板の前端が、棚装置の前面よりも後退した位置で終わっているような場合でも、棚板の前面に取付けた名札を外部から見やすくすることができるように、固定名札差しの前方に、この名札差しとは別個の継ぎ足し名札差しを取付けるようにしたものであり、特許文献２に記載のものは、商品陳列棚の前端面に通常のプライスカードレールが設けられ、このプライスカードレールのプライスカード保持部に、プライスカードが装着できるストッパー装置を取付け、仕切板の一部をストッパー装置に挟持させてその抜け止めを図ったものである。
【０００４】
【特許文献１】
特開平１１−３２８７９号公報（第１，２頁、図３）
【特許文献２】
特開２００２−６５４１９号公報（第２，３頁、図３）
【０００５】
【発明が解決しようとする課題】
ところで、前記した特許文献に記載のプライスカードレールは所要の目的を果たすために、固定のプライスカードレールに新たに付加したものであるが、木製のプライスカードレールでないので、木製の商品陳列棚に対して使用する場合に、デザインの統一がとれず、木製のプライスカードレールに代える必要があった。しかしながら、固定プライスレールと木製のプライスカードレールとの取付部の構造や、プライスカードの装着部の構成が木製の場合は複雑になり、コスト高になる恐れがあった。
【０００６】
本発明は、このような状況に鑑みてなされたものであり、木製の質感を生かしながら安価に固定のプライスレールに取付けることが可能なプライスカードレール装置を提供することを目的とするものである。
【０００７】
【課題を解決するための手段】
上記課題を解決するために、本発明のプライスカードレール装置は、棚板の前面に設けた固定プライスカードレールの前方に取付けられ、前記固定プライスカードレールに装着可能なプライスカードレール装置であって、木製の支持板と、該支持板の前後面及び下面に内側面が沿う断面上向きコ字形の透明合成樹脂製の覆板と、前記支持板の後面側に前記覆板の後面部を挟んで止着され、かつ前記固定プライスカードレールに着脱自在の取付部材とで構成したことを特徴としている。
この特徴によれば、木製の支持板が透明合成樹脂製の覆板で覆われているので木製の質感をそのまま残すことができ、かつ支持板の前面と覆板を利用してプライスカードを装着することができる。
【０００８】
本発明のプライスカードレール装置において、前記覆板と取付部材は樹脂で一体成形されていることが好ましい。
これによれば、覆板と取付部材を一体成形することで、部品点数を減らしコスト削減を図ることができる。
【０００９】
本発明のプライスカードレール装置において、前記取付部材は前記固定プライスカードレールの上下を挟持する挟持片を有することが好ましい。
これによれば、取付部材に設けた挟持片を用いることで容易に固定プライスカードレールに着脱できる。
【００１０】
【発明の実施形態】
図１は本発明の一実施形態に係るプライスカードレール装置を在来の棚板前面の固定プライスカードレール前方に装着した状態を示す部分斜視図、図２は本発明のプライスカードレール装置を裏面側から視た斜視図、図３はプライスカードレール装置の断面図であり、図４はプライスカードレール装置の分解斜視図である。
【００１１】
図１に示される１は本発明のプライスカードレール装置であって、このプライスカードレール装置１は、在来の商品陳列棚などの棚板４前面に設けられた固定プライスカードレール２に装着して使用されるものであって、固定プライスカードレール２とほぼ同一長さで矩形状に形成された所定の厚みを有する木製の支持板６と、支持板６の前面６ａに対応する前面板８ａと、支持板６の後面６ｂに対応する後面板８ｂと、支持板６の下面６ｃに対応する下面板８ｃからなる断面上向きコ字形の透明合成樹脂製の覆板８と、前記支持板６の後面６ｂに覆板８の後面板８ｂを挟んで、例えば図２に示すように、ビスＢ１，Ｂ２等を介して前記覆板８の長手方向複数箇所（例えば２箇所）に止着した短尺の取付部材１０とから構成されている。
【００１２】
詳しくは、在来のプライスカードの固定プライスカードレール２は、図示しないプライスカードを収容保持すべく内側に湾曲したカード支持部５と、このカード支持部５の上下に折曲形成されプライスカードの上下端部を挟んで保持する上部ないし下部係止片２ａ，２ｂとから構成されている。
【００１３】
図３，図４に示すように、合成樹脂で成形され取付部材１０は、固定プライスカードレール２の外側に着脱自在に装着すべく、この固定プライスカードレール２の上部係止片２ａの上部に係止する上部挟持片１０ａと、下部係止片２ｂの下部に係止する内側にロック部１２ｂを突設した下部挟持片１０ｂと、後面板８ｂと所定範囲で面接触する支持面１０ｃとから構成されている。
【００１４】
次に上記のように構成されたプライスカードレール装置の組立て手順に付き図４を参照して説明する。
【００１５】
先ず、覆板８の上部開口側から木製の支持板６を下面板８ｃに当接するまで差込んだ状態で、覆板８の後面板８ｂに予め穿設された一対のネジ取付け孔Ｈ１に対応するようネジ取付け孔Ｈ２を互いに合致させて長手方向２箇所にそれぞれ取付部材１０を配置し、覆板８の後面板８ｂを挟んで支持板６の後面６ｂ側に取付部材１０がビスＢ１，Ｂ２等を介して止着される。
【００１６】
そこで、プライスカードレール装置１は、取付部材１０の上部挟持片１０ａに形成された下向きの上部折曲片１２ａを図１に示す固定プライスカードレール２の上部係止片２ａ上部に係止した状態で下部挟持片１０ｂを固定プライスカードレール２の下部係止片２ｂに向けて振り込むことで、図３に示すように、下部挟持片１０ｂが弾性変形しながらに下部係止片２ｂに当接係合する。
【００１７】
そこで、例えば、在来のプライスカードよりも上下幅の大きいプライスカードＰＣを、木製の支持板６前面６ａと透明の覆板８の前面板８ａとの間に差込み、プライスカードＰＣの装着が完了する。
【００１８】
従って、木製の支持板６が透明合成樹脂製の覆板８で覆われるよう構成されるので木製の質感をそのまま残すことができ、かつ支持板６の前面と覆板８を利用してプライスカードＰＣを装着することができる。
【００１９】
また、取付部材１０は、固定プライスカードレール２の上部ないし下部係止片２ａ，２ｂを挟持する上部挟持片１０ａないし下部挟持片１０ｂを有しているので、容易に固定プライスカードレール２に着脱することができる。
【００２０】
次に、プライスカードレール装置の他の実施形態に付き図５を参照して説明する。図５は他の実施形態に係るプライスカードレール装置の断面図である。
【００２１】
本実施形態に係るプライスカードレール装置１４は、上記実施形態に係る覆板と取付部材を一体化したもので、支持板６の前面６ａに対応する前面板１６ａと後面６ｂに対応し前面板１６ａより低く形成された後面板１６ｂと下面６ｃに対応する下面板１６ｃから形成された断面上向きコ字形の透明合成樹脂製の覆板１６とから成り、覆板１６の後面板１６ｂには部分的に取付部材１８が一体成形されている。
【００２２】
取付部材１８は、前述した実施形態と基本的に同一構成であって、図１に示される固定プライスカードレール２の上部係止片２ａの上部に係止すべく下向きの上部折曲片２０ａが形成された上部挟持片１８ａと、下部係止片２ｂの下部に係止すべく内側にロック部２０ｂを突設した下部挟持片１８ｂとから構成されている。
【００２３】
そこで、プライスカードレール装置１４は、この上部開口から支持板６を下面板１６ｃに当接するまで差込んだ状態で、後面板１６ｂの後方から支持板６の後面６ｂ側にビスＢ１，Ｂ２を止着することで組立てが完了する。
【００２４】
従って、本実施形態に係るプライスカードレール装置１４は、覆板１６と取付部材１８が合成樹脂材で一体成形されているので、部品点数を減らしコスト削減を図ることができる。
【００２５】
【発明の効果】
本発明は以下の効果を奏する。
【００２６】
（ａ）請求項１項の発明によれば、木製の支持板が透明合成樹脂製の覆板で覆われているので木製の質感をそのまま残すことができ、かつ支持板の前面と覆板を利用してプライスカードを装着することができる。
【００２７】
（ｂ）請求項２項の発明によれば、覆板と取付部材を一体成形することで、部品点数を減らしコスト削減を図ることができる。
【００２８】
（ｃ）請求項３項の発明によれば、取付部材に設けた挟持片を用いることで容易に固定プライスカードレールに着脱できる。
【図面の簡単な説明】
【図１】本発明の一実施形態に係るプライスカードレール装置を在来の棚板前面の固定プライスカードレール前方に装着した状態を示す部分斜視図である。
【図２】本発明のプライスカードレール装置を裏面側から視た斜視図である。
【図３】プライスカードレール装置の断面図である。
【図４】プライスカードレール装置の分解斜視図である。
【図５】他の実施形態に係るプライスカードレール装置の断面図である。
【符号の説明】
１                      プライスカードレール装置
２                      固定プライスカードレール
２ａ                    上部係止片
２ｂ                    下部係止片
４                      棚板
５                      カード支持部
６                      支持板
６ａ                    支持板の前面
６ｂ                    支持板の後面
６ｃ                    支持板の下面
８                      覆板
８ａ                    前面板
８ｂ                    後面板
８ｃ                    下面板
１０                    取付部材
１０ａ                  上部挟持片
１０ｂ                  下部挟持片
１０ｃ                  支持面
１２ａ                  上部折曲片
１２ｂ                  ロック部
１４                    プライスカードレール装置
１６                    覆板
１６ａ                  前面板
１６ｂ                  後面板
１６ｃ                  下面板
１８                    取付部材
１８ａ                  上部挟持片
１８ｂ                  下部挟持片
２０ａ                  上部折曲片
２０ｂ                  ロック部
Ｂ１，Ｂ２              ビス
Ｈ１，Ｈ２              ネジ取付け孔
ＰＣ                    プライスカード
【図１】
2005034331.tif 000003
【図２】
2005034331.tif 000004
【図３】
2005034331.tif 000005
【図４】
2005034331.tif 000006
【図５】
2005034331.tif 000007